(57)【要約】【課題】外見上が同一もしくは極めて類似している製品の判別を可能とする。【解決手段】外観および形状が同一または類似している電子回路基板もしくはパネル型表示装置において、前記電子回路基板および前記パネル型表示装置に電気的差異判別が可能な一対の電気的端子１１、１２を設け、電気的端子１１、１２間の電気的差異測定することにより異なる機種または型式を判別することを可能にしたものであり、例えば、同一機種もしくは同一型式のものには、前記電気的端子１１、１２間に同一の抵抗値の抵抗体を接続しておくことにより、機種間もしくは型式間の判別を可能としたものである。【選択図】図１
2005221398.tif 000002
【特許請求の範囲】
【請求項１】
外観および形状が同一または類似している電子回路基板において、
前記電子回路基板に電気的差異判別が可能な一対の電気的端子を設け、
前記電気的端子間の電気的差異測定することにより異なる機種または型式を判別することを可能にした
ことを特徴とする電子回路基板。
【請求項２】
前記電子回路基板において、
機種もしくは型式が同一の電子回路基板には前記電気的端子間に同一の抵抗値の抵抗体を接続しておく
ことを特徴とする請求項１記載の電子回路基板。
【請求項３】
前記一対の電気的端子のうち一方は電気的検査を行うために設けられた検査用端子を用いる
ことを特徴とする請求項２記載の電子回路基板。
【請求項４】
前記一対の電気的端子のうち一方は前記抵抗体以外には接続されていない
ことを特徴とする請求項２記載の電子回路基板。
【請求項５】
種類ごとに複数枚用意されるもので外観および形状が同一または類似している２種類の電子回路基板において、
前記２種類の電子回路基板のうち、一方の種類の第１電子回路基板に電気的差異判別が可能な一対の電気的端子を設けるとともに、前記電気的端子間に同一の抵抗値の抵抗体を接続し、
前記２種類の電子回路基板のうち、他方の種類の第２電子回路基板に前記第１電子回路基板に設けた一対の電気的端子と同様な位置の一方のみに電気的端子を設けるとともに他方の位置には電気的端子を仮想し、
前記仮想した電気的端子を含めた前記電気的端子間の電気的差異を測定することにより異なる機種または型式を判別することを可能にした
ことを特徴とする電子回路基板。
【請求項６】
種類ごとに複数枚用意されるもので外観および形状が同一または類似している複数種類の電子回路基板において、
前記複数種類の電子回路基板に電気的差異判別が可能な一対の電気的端子を設け、
前記複数種類の電子回路基板のうち、機種もしくは型式が同一の１種類の電子回路基板の電気的端子間には抵抗体を設けない状態とし、
前記複数種類の電子回路基板のうち、残りの種類の機種もしくは型式が同一の電子回路基板には前記電気的端子間に同一の抵抗値の抵抗体を接続しておき、
前記電気的端子間の電気的差異測定することにより異なる機種または型式を判別することを可能にした
ことを特徴とする電子回路基板。
【請求項７】
外観および形状が同一または類似しているパネル型表示装置において、
前記パネル型表示装置に電気的差異判別が可能な一対の電気的端子を設け、
前記電気的端子間の電気的差異測定することにより異なる機種または型式を判別することを可能にした
ことを特徴とするパネル型表示装置。
【請求項８】
前記パネル型表示装置において、
機種もしくは型式が同一のパネル表示装置には前記電気的端子間に同一の抵抗値の抵抗体を接続しておく
ことを特徴とする請求項７記載のパネル型表示装置。
【請求項９】
前記一対の電気的端子のうち一方は電気的検査を行うために設けられた検査用端子を用いる
ことを特徴とする請求項８記載のパネル型表示装置。
【請求項１０】
前記一対の電気的端子のうち一方は前記抵抗体以外には接続されていない
ことを特徴とする請求項８記載のパネル型表示装置。
【請求項１１】
種類ごとに複数用意されるもので外観および形状が同一または類似している２種類のパネル型表示装置において、
前記２種類のパネル型表示装置のうち、一方の種類の第１パネル型表示装置に電気的差異判別が可能な一対の電気的端子を設けるとともに、前記電気的端子間に同一の抵抗値の抵抗体を接続し、
前記２種類のパネル型表示装置のうち、他方の種類の第２パネル型表示装置に前記第１パネル型表示装置に設けた一対の電気的端子と同様な位置の一方のみに電気的端子を設けるとともに他方の位置に電気的端子を仮想し、
前記仮想した電気的端子を含めた前記電気的端子間の電気的差異を測定することにより異なる機種または型式を判別することを可能にした
ことを特徴とするパネル型表示装置。
【請求項１２】
種類ごとに複数用意されるもので外観および形状が同一または類似している複数種類のパネル型表示装置において、
前記複数種類のパネル型表示装置に電気的差異判別が可能な一対の電気的端子を設け、
前記複数種類のパネル型表示装置のうち、機種もしくは型式が同一の１種類のパネル型表示装置の電気的端子間には抵抗体を設けない状態とし、
前記複数種類のパネル型表示装置のうち、残りの種類の機種もしくは型式が同一のパネル型表示装置には前記電気的端子間に同一の抵抗値の抵抗体を接続しておき、
前記電気的端子間の電気的差異測定することにより異なる機種または型式を判別することを可能にした
ことを特徴とするパネル型表示装置。
【請求項１３】
外観および形状が同一または類似している複数の製品を判別する製品の判別方法において、
前記複数の製品に電気的差異判別が可能な一対の電気的端子を設け、
前記電気的端子間の電気的差異測定することにより、
異なる製品の機種または型式を判別する
ことを特徴とする製品の判別方法。
【請求項１４】
前記製品は電子回路基板もしくはパネル型表示装置である
ことを特徴とする請求項１３記載の製品の判別方法。
【請求項１５】
前記複数の製品のうち機種もしくは型式が同一の製品には、前記電気的端子間を抵抗値が同一の抵抗体により接続し、
かつ前記複数の製品のうち機種および型式が異なる製品には前記電気的端子間の抵抗値を異ならせておく
ことを特徴とする請求項１３記載の製品の判別方法。
【請求項１６】
前記一対の電気的端子のうち一方は電気的検査を行うために設けられた検査用端子を用いる
ことを特徴とする請求項１５記載の製品の判別方法。
【請求項１７】
前記一対の電気的端子のうち一方は前記抵抗体以外には接続されていない
ことを特徴とする請求項１５記載の製品の判別方法。
【請求項１８】
種類ごとに複数用意されるもので外観および形状が同一または類似している２種類の製品の判別方法において、
前記２種類の製品のうち、一方の種類の第１製品に電気的差異判別が可能な一対の電気的端子を設けるとともに、前記電気的端子間に同一の抵抗値の抵抗体を接続し、
前記２種類の製品のうち、他方の種類の第２製品に前記製品に設けた一対の電気的端子と同様な位置の一方のみに電気的端子を設けるとともに他方の位置に電気的端子を仮想し、
前記仮想した電気的端子を含めた前記電気的端子間の電気的差異を測定することにより異なる機種または型式を判別する
ことを特徴とする製品の判別方法。
【請求項１９】
種類ごとに複数用意されるもので外観および形状が同一または類似している複数種類の製品の判別方法において、
前記複数種類の製品に電気的差異判別が可能な一対の電気的端子を設け、
前記複数種類の製品のうち、機種もしくは型式が同一の１種類の製品の電気的端子間には抵抗体を設けない状態とし、
前記複数種類の製品のうち、残りの種類の機種もしくは型式が同一の製品には前記電気的端子間に同一の抵抗値の抵抗体を接続しておき、
前記電気的端子間の電気的差異測定することにより異なる機種または型式を判別する
ことを特徴とする製品の判別方法。
【発明の詳細な説明】
【技術分野】
【０００１】
本発明は、外見上は同一もしくは類似しているが機種もしくは型式の判別が容易な電子回路基板、パネル型表示装置及び製品の判別方法に関するものである。
【背景技術】
【０００２】
液晶表示装置などの試作や量産工程において、画素数や透過率は異なるが、外形サイズや電気的仕様など全て同一であり、外見上、差異を見分けることが極めて困難な場合がある。検査工程において、人為的ミスや不注意、もしくは搬送装置などの故障により、これらの異機種の製品が混在した場合、実体顕微鏡やモニターなどにより拡大し、製品に印刷された文字などを目視で一つ一つを確認しながら選別しなければならない。
【０００３】
例えば、図４に示すように、外見上は殆ど見分けがつけにくい型式の異なる二つのモバイルディスプレイ用小型液晶表示装置ＣＤＥ１２３ＡとＣＤＥ１２３Ｂとがある。これらを判別できるように、パネルの片隅（図面のパネルの左下部）には、例えば「１２３Ａ」、「１２３Ｂ」というように、型式番号がパターニングされている。このように、通常の表示型パネルや電子回路基板には、パネルや基板の片隅（例えばテストパッドの形成領域近傍のスペース）（例えば、非特許文献１参照。）に型式名がパターニングされてはいるが、パターニング面積の縮小化にともない、文字の高さは０．４ｍｍ〜０．５ｍｍ程度となっており、目視による判別は極めて困難となっている。
【０００４】
もし何らかの要因で、例えば検査工程において、外見上は殆ど見分けがつけにくい型式の異なる二つのパネルが混在した場合、パネルの片隅にパターニングされた型式名およびＦＯＧパッド部のサイズや位置を確認して選別する以外に方法がなかった。このため、万が一流動ミスで混在が発覚した場合、製品の選別と検査に多大な工数がかかる恐れがあった。また、選別しきれずに、後工程へ流出してしまう危険性もあった。そのため、これらの問題を解決する仕組みを備えた新しい判別手段および判別方法の確立が急がれていた。
【０００５】
【非特許文献１】ソニー株式会社  製品仕様書「ＡＣＸ５０６ＡＫＺ」
【発明の開示】
【発明が解決しようとする課題】
【０００６】
解決しようとする問題点は、外見上が同一もしくは極めて類似している製品は、その差異を見分けることが極めて困難な点である。
【課題を解決するための手段】
【０００７】
本発明の電子回路基板は、外観および形状が同一または類似している電子回路基板において、前記電子回路基板に電気的差異判別が可能な一対の電気的端子を設け、前記電気的端子間の電気的差異測定することにより異なる機種または型式を判別することを可能にしたことを最も主要な特徴とする。例えば、前記電子回路基板において、機種もしくは型式が同一の電子回路基板には前記電気的端子間に同一の抵抗値の抵抗体を接続しておくことを特徴とする。
【０００８】
本発明の電子回路基板は、種類ごとに複数枚用意されるもので外観および形状が同一または類似している２種類の電子回路基板において、前記２種類の電子回路基板のうち、一方の種類の第１電子回路基板に電気的差異判別が可能な一対の電気的端子を設けるとともに、前記電気的端子間に同一の抵抗値の抵抗体を接続し、前記２種類の電子回路基板のうち、他方の種類の第２電子回路基板に前記第１電子回路基板に設けた一対の電気的端子と同様な位置の一方のみに電気的端子を設けるとともに他方の位置には電気的端子を仮想し、前記仮想した電気的端子を含めた前記電気的端子間の電気的差異を測定することにより異なる機種または型式を判別することを可能にしたことを主要な特徴とする。
【０００９】
本発明の電子回路基板は、種類ごとに複数枚用意されるもので外観および形状が同一または類似している複数種類の電子回路基板において、前記複数種類の電子回路基板に電気的差異判別が可能な一対の電気的端子を設け、前記複数種類の電子回路基板のうち、機種もしくは型式が同一の１種類の電子回路基板の電気的端子間には抵抗体を設けない状態とし、前記複数種類の電子回路基板のうち、残りの種類の機種もしくは型式が同一の電子回路基板には前記電気的端子間に同一の抵抗値の抵抗体を接続しておき、前記電気的端子間の電気的差異測定することにより異なる機種または型式を判別することを可能にしたことを主要な特徴とする。
【００１０】
本発明のパネル型表示装置は、外観および形状が同一または類似しているパネル型表示装置において、前記パネル型表示装置に電気的差異判別が可能な一対の電気的端子を設け、前記電気的端子間の電気的差異測定することにより異なる機種または型式を判別することを可能にしたことを最も主要な特徴とする。例えば、前記パネル型表示装置において、機種もしくは型式が同一の電子回路基板には前記電気的端子間に同一の抵抗値の抵抗体を接続しておくことを特徴とする。
【００１１】
本発明のパネル型表示装置は、種類ごとに複数用意されるもので外観および形状が同一または類似している２種類のパネル型表示装置において、前記２種類のパネル型表示装置のうち、一方の種類の第１パネル型表示装置に電気的差異判別が可能な一対の電気的端子を設けるとともに、前記電気的端子間に同一の抵抗値の抵抗体を接続し、前記２種類のパネル型表示装置のうち、他方の種類の第２パネル型表示装置に前記第１パネル型表示装置に設けた一対の電気的端子と同様な位置の一方のみに電気的端子を設けるとともに他方の位置に電気的端子を仮想し、前記仮想した電気的端子を含めた前記電気的端子間の電気的差異を測定することにより異なる機種または型式を判別することを可能にしたことを主要な特徴とする。
【００１２】
本発明のパネル型表示装置は、種類ごとに複数用意されるもので外観および形状が同一または類似している複数種類のパネル型表示装置において、前記複数種類のパネル型表示装置に電気的差異判別が可能な一対の電気的端子を設け、前記複数種類のパネル型表示装置のうち、機種もしくは型式が同一の１種類のパネル型表示装置の電気的端子間には抵抗体を設けない状態とし、前記複数種類のパネル型表示装置のうち、残りの種類の機種もしくは型式が同一のパネル型表示装置には前記電気的端子間に同一の抵抗値の抵抗体を接続しておき、前記電気的端子間の電気的差異測定することにより異なる機種または型式を判別することを可能にしたことを主要な特徴とする。
【００１３】
本発明の製品の判別方法は、外観および形状が同一または類似している複数の製品を判別する製品の判別方法において、前記複数の製品に電気的差異判別が可能な一対の電気的端子を設け、前記電気的端子間の電気的差異測定することにより、異なる製品の機種または型式を判別することを最も主要な特徴とする。例えば、前記製品は電子回路基板もしくはパネル型表示装置であり、前記複数の製品のうち機種もしくは型式が同一の製品には、前記電気的端子間を抵抗値が同一の抵抗体により接続し、かつ前記複数の製品のうち機種および型式が異なる製品には前記電気的端子間の抵抗値を異ならせておくことを特徴とする。
【００１４】
本発明の製品の判別方法は、種類ごとに複数用意されるもので外観および形状が同一または類似している２種類の製品の判別方法において、前記２種類の製品のうち、一方の種類の第１製品に電気的差異判別が可能な一対の電気的端子を設けるとともに、前記電気的端子間に同一の抵抗値の抵抗体を接続し、前記２種類の製品のうち、他方の種類の第２製品に前記製品に設けた一対の電気的端子と同様な位置の一方のみに電気的端子を設けるとともに他方の位置に電気的端子を仮想し、前記仮想した電気的端子を含めた前記電気的端子間の電気的差異を測定することにより異なる機種または型式を判別することを主要な特徴とする。
【００１５】
本発明の製品の判別方法は、種類ごとに複数用意されるもので外観および形状が同一または類似している複数種類の製品の判別方法において、前記複数種類の製品に電気的差異判別が可能な一対の電気的端子を設け、前記複数種類の製品のうち、機種もしくは型式が同一の１種類の製品の電気的端子間には抵抗体を設けない状態とし、前記複数種類の製品のうち、残りの種類の機種もしくは型式が同一の製品には前記電気的端子間に同一の抵抗値の抵抗体を接続しておき、前記電気的端子間の電気的差異測定することにより異なる機種または型式を判別することを主要な特徴とする。
【発明の効果】
【００１６】
本発明の電子回路基板は、電子回路基板に電気的差異判別が可能な一対の電気的端子（仮想した電気的端子も含む）を設けたため、電気的端子間の電気的差異測定することにより異なる機種または型式を判別することが可能になるので、機種もしくは型式は異なっていて外観および形状が同一または類似している電子回路基板を、電気的な差異により正確にかつ迅速に判別することができるという利点がある。よって、検査工程における異機種混入を避けることが容易になった。また形状検査と電気的検査の自動化による機種判別が可能になった。
【００１７】
本発明のパネル型表示装置は、パネル型表示装置に電気的差異判別が可能な一対の電気的端子（仮想した電気的端子も含む）を設けたため、電気的端子間の電気的差異測定することにより異なる機種または型式を判別することが可能になるので、機種もしくは型式は異なっていて外観および形状が同一または類似しているパネル型表示装置を、電気的な差異により正確にかつ迅速に判別することができるという利点がある。よって、検査工程における異機種混入を避けることが容易になった。また形状検査と電気的検査の自動化による機種判別が可能になった。
【００１８】
本発明の製品の判別方法は、複数の製品に電気的差異判別が可能な一対の電気的端子（仮想した電気的端子も含む）を設けたため、電気的端子間の電気的差異測定することができるので、外観および形状が同一または類似している複数の製品を、電気的な差異により正確にかつ迅速に判別することができるという利点がある。よって、検査工程における異機種混入を避けることが容易になった。また形状検査と電気的検査の自動化による機種判別が可能になった。
【発明を実施するための最良の形態】
【００１９】
外見上が同一もしくは極めて類似している製品の判別を容易にするという目的を、電気的差異判別が可能な一対の電気的端子を設けて、電気的端子間の電気的差異測定することで容易に実現した。
【実施例１】
【００２０】
本発明の電子回路基板、パネル型表示装置および製品の判別方法に係る第１実施例を、図１によって説明する。ここでは、外見上は殆ど見分けがつかない３機種のパネル型表示装置、例えば機種Ａ、機種Ｂ、機種Ｃの判別について説明する。なお、電子回路基板についても、以下に説明するパネル型表示装置と同様な電気的端子および抵抗体を機種間もしくは型式間に設けることで、異なる機種もしくは型式間の判別が可能となる。
【００２１】
図１に示すように、パネル型表示装置の機種Ａ、Ｂ、Ｃのそれぞれの基板に一対の電気的端子１１、１２を設ける。上記機種Ａの一対の電気的端子１１、１２間には抵抗体２１が接続されている。同様に、上記機種Ｂの一対の電気的端子１１、１２間には抵抗体２２が接続されている。この抵抗体２２は上記抵抗体２１とは抵抗値が異なるものを用いる。例えば、抵抗体２１より抵抗体２２の抵抗値のほうが小さい抵抗体としておく。なお、その逆に、抵抗体２１より抵抗体２２の抵抗値のほうが大きい抵抗体としておいてもよい。また、上記機種Ｃの一対の電気的端子１１、１２間はオープン状態としておく。
【００２２】
次に、上記パネル型表示装置の機種間の判別方法を説明する。上記パネル型表示装置の機種Ａ、機種Ｂ、機種Ｃは、それぞれが外観および形状が同一または類似している。このような複数の製品の判別方法としては、上記図１によって説明したように、機種Ａ、機種Ｂ、機種Ｃのそれぞれに、各機種（製品）間で電気的差異判別が可能な一対の電気的端子１１、１２を設け、この電気的端子１１、１２間の電気的差異、例えば電気抵抗を測定することにより、機種Ａ、機種Ｂ、機種Ｃを判別する。上記パネル型表示装置の他に、例えば、電子回路基板に対しても同様の判別方法を適用することができる。
【００２３】
このように、一対の電気的端子１１、１２を設け、機種間で異なるように、上記電気的端子１１、１２間に抵抗体２１、２２を接続するもしくは電気的端子１１、１２間をオープン状態としたことから、機種Ａ、Ｂ、Ｃ間において、電気的端子１１、１２間の抵抗値を測定した場合には、異なる抵抗値の測定結果が得られる。これにより、電気的検査によって、各機種Ａ、Ｂ、Ｃを判別することが容易にかつ迅速に行えるようになる。よって、本発明の電子回路基板およびパネル型表示装置は、例えば、検査工程における異機種混入を避けることが容易になる。また形状検査と電気的検査の自動化による機種判別が可能になる。
【００２４】
上記説明では、３機種間の判別の例を説明したが、さらに機種数が増加した場合には、各機種間において抵抗体の抵抗値が異なるものを用いることにより、機種間の判別が可能となる。各抵抗体の抵抗値は、各機種間に設けた抵抗値の差異が抵抗測定器によって確実に判別できるものであればよい。
【００２５】
上記電気的端子１１、１２の一方は、パネル型表示装置の特性を検査する際に用いる検査用端子もしくはエージング端子を用いることもできる。また、上記電気的端子１１、１２の一方がパネル型表示装置の特性を検査する際に用いる検査用端子を用いた場合には、他方の電気的端子は、上記抵抗体２１以外は接続しない状態とすることが好ましい。
【００２６】
なお、上記機種Ｃの一対の電気的端子１１、１２間にも抵抗体（図示せず）を接続してもよい。この場合には、上記機種Ｃの抵抗体は、上記抵抗体２１、２２とは異なる抵抗値のものを用いる。各抵抗体の抵抗値の大小は、適宜選択できる。
【実施例２】
【００２７】
次に、本発明の電子回路基板、パネル型表示装置および製品の判別方法に係る第２実施例を、図２によって説明する。ここでは、外見上は殆ど見分けがつかない２機種の電子回路基板、例えば機種Ａ、機種Ｂの判別について説明する。なお、パネル型表示装置についても、以下に説明する電子回路基板と同様な電気的端子および抵抗体を機種間もしくは型式間に設けることで、異なる機種もしくは型式間の判別が可能となる。
【００２８】
図２に示すように、基本的には、電子回路基板の機種Ａ、Ｂのそれぞれの基板に一対の電気的端子１１、１２を設けるが、ここでは、上記機種Ａについては、一対の電気的端子のうち電気的端子１１のみを設け、電気的端子１２は形成しない。したがって、電気的端子１１に接続する抵抗体も形成しない。一方、機種Ｂについては、一対の電気的端子１１、１２を設け、そのうち一方の電気的端子１１は、例えば他の電気的測定を行う端子を用いる。例えばエージング用端子を用いる。他方、電気的端子１２は、後に説明する抵抗体２２以外は何ら電気的に接続されていない状態とする。そして、電気的端子１１、１２間には抵抗体２２が接続されている。なお、上記電気的端子１２を形成しないとしているが、電気的端子１１と接続させて抵抗値測定を行う位置１２’（電気的端子１２の形成位置に相当）だけは確保しておき、その位置１２’は例えばパネル型表示装置を被覆する絶縁膜の所定の位置とする。すなわち、ここでは導電性材料からなる電気的端子１２としては形成しないが、端子間の抵抗測定をする際に、所定の２点を決定しておかないと、上記電気的端子１１とほかの導電部（図示せず）との間の抵抗を測定し、その抵抗値が機種Ｂにおいて測定した抵抗値と同一もしくは類似であった場合を排除することができなくなるのを避けるためである。
【００２９】
次に、上記パネル型表示装置の機種間の判別方法を説明する。上記パネル型表示装置の機種Ａ、機種Ｂは、それぞれが外観および形状が同一または類似している。このような複数の製品の判別方法としては、上記図２によって説明したように、機種Ａ、機種Ｂのそれぞれに、機種（製品）間で電気的差異判別が可能な一対の電気的端子１１、１２（機種Ａについては電気的端子１１のみ）を設け、この電気的端子１１、１２間の電気的差異、例えば電気抵抗を測定することにより、機種Ａ、機種Ｂを判別する。上記パネル型表示装置の他に、例えば、電子回路基板に対しても同様の判別方法を適用することができる。
【００３０】
このように、基本的には、一対の電気的端子１１、１２を設け、機種間で異なるように、機種Ａについては一対の電気的端子のうち電気的端子１１のみを設け、機種Ｂについては、一対の電気的端子１１、１２を設け、一対の電気的端子１１、１２間を接続する抵抗体２２を設けたことから、機種Ａでは、電気的端子１１を用いた抵抗値の測定ができず、機種Ｂでは抵抗値の測定ができることにより、機種Ａ、Ｂを判別することが容易にかつ迅速に行えるようになる。よって、本発明の電子回路基板およびパネル型表示装置は、例えば、検査工程における異機種混入を避けることが容易になる。また形状検査と電気的検査の自動化による機種判別が可能になる。
【実施例３】
【００３１】
次に、本発明の電子回路基板、パネル型表示装置および製品の判別方法に係る第３実施例を、図３によって説明する。ここでは、外見上は殆ど見分けがつかない２機種のパネル型表示装置、例えば機種Ａ、機種Ｂの判別について説明する。なお、電子回路基板についても、以下に説明するパネル型表示装置と同様な電気的端子および抵抗体を機種間もしくは型式間に設けることで、異なる機種もしくは型式間の判別が可能となる。
【００３２】
図３に示すように、基本的には、パネル型表示装置の機種Ａ、Ｂのそれぞれの基板に一対の電気的端子１１、１２を設け、そのうち一方の電気的端子１１は、例えば他の電気的測定を行う端子を用いる。また、他方の電気的端子１２は電気的に浮遊状態とすることが好ましい。したがって、上記機種Ａについては、一対の電気的端子１１、１２間はオープン状態とし、抵抗体は接続しない。他方、機種Ｂについては、一対の電気的端子１１、１２を設け、そのうち一方の電気的端子１１は、例えば他の電気的測定を行う端子を用いる。例えばエージング用端子を用いる。他方の電気的端子１２は、後に説明する抵抗体２２以外は何ら電気的に接続されていない状態とする。そして、電気的端子１１、１２間には抵抗体２２が接続されている。
【００３３】
次に、上記パネル型表示装置の機種間の判別方法を説明する。上記パネル型表示装置の機種Ａ、機種Ｂは、それぞれが外観および形状が同一または類似している。このような複数の製品の判別方法としては、上記図３によって説明したように、機種Ａ、機種Ｂのそれぞれに、各機種（製品）間で電気的差異判別が可能な一対の電気的端子１１、１２を設け、この電気的端子１１、１２間の電気的差異、例えば電気抵抗を測定することにより、機種Ａ、機種Ｂ、機種Ｃを判別する。上記パネル型表示装置の他に、例えば、電子回路基板に対しても同様の判別方法を適用することができる。
【００３４】
このように、基本的には、一対の電気的端子１１、１２を設け、機種間で異なるように、機種Ａについては一対の電気的端子１１、１２間に抵抗体を設けず、機種Ｂについては一対の電気的端子１１、１２を設け、この一対の電気的端子１１、１２間を接続する抵抗体２２を設けたことから、機種Ａでは、電気的端子１１を用いた抵抗値の測定ができず、機種Ｂでは抵抗値の測定ができることにより、機種Ａ、Ｂを判別することが容易にかつ迅速に行えるようになる。よって、本発明の電子回路基板およびパネル型表示装置は、例えば、検査工程における異機種混入を避けることが容易になる。また形状検査と電気的検査の自動化による機種判別が可能になる。
【００３５】
上記各第１〜第３実施例で用いる抵抗体の材料は、端子間の抵抗値によって識別可能となるものであれば、金属抵抗線であっても、もしくは、ポリシリコン抵抗体、ダイオード、コンデンサ、トランジスタ、またはこれらのチップ部品でもかまわない。また一対の電気的端子１１、１２の一方の端子を他の電気的測定を行う端子として、例えばエージング用端子と兼用するとしたが、兼用できる端子はエージング用端子に限るものではなく、他の電気的測定を行うための端子であってもよい。また、一対の電気的端子における一方の端子は、複数の目的の異なる検査端子と兼用しても差し支えない。
【００３６】
上記説明した第１〜第３実施例のように、電気的な差異が明確であるため、一例として、試作品に対しては、セッティングは手動で、電気的測定は自動で行うが、量産品に対しては、搬送、セッティング、形状認識判別、電気的判別など全てロボットや自動機で行うという選択も可能であり、確実で高速な検査方法が確立される。なお、抵抗体の有無や電気的端子の有無による形状的な差異も明確となる利点もある。
【産業上の利用可能性】
【００３７】
本発明の電子回路基板、パネル型表示装置は、各種電子機器、各種表示装置に適用することができ、また本発明の製品の判別方法は、電子回路基板、パネル型表示装置の判別に限らず、外観上、同一もしくは類似して見えるような各種基板や各種パネルの判別という用途にも適用できる。
【図面の簡単な説明】
【００３８】
【図１】本発明の電子回路基板、パネル型表示装置および製品の判別方法に係る第１実施例を示した図面である。
【図２】本発明の電子回路基板、パネル型表示装置および製品の判別方法に係る第２実施例を示した図面である。
【図３】本発明の電子回路基板、パネル型表示装置および製品の判別方法に係る第３実施例を示した図面である。
【図４】従来のパネル型表示装置の課題を示した図面である。
【符号の説明】
【００３９】
１１，１２…電気的端子
【図１】
2005221398.tif 000003
【図２】
2005221398.tif 000004
【図３】
2005221398.tif 000005
【図４】
2005221398.tif 000006